(57)【要約】      （修正有）【課題】一部を配線空間部として形成した脚柱においても、アジャスターの取付長さを脚柱に確保するとともに、アジャスターの調整操作を容易に行えるようにしたテーブル等の脚構造を提供する。【解決手段】周面の一部が上下方向に開口８する管状の脚柱４から成り、この脚柱４の開口８側には、上下方向に延びるこの開口８に連通する配線収納溝Ｘが、この開口８の反対側には上下方向に延びる挿通孔１１ｂが形成され、この挿通孔１１ｂの下部にはアジャスターＪ取付用の雌ねじが螺設され、脚柱４の断面形状は、アジャスターＪのベースＪＢの一部がこの脚柱４より外側に露出するように形設されている。【選択図】  図２
2004202029.tif 000002
【特許請求の範囲】
【請求項１】
天板を支持する支持脚内部に配線収納空間を形成したテーブル等の脚構造であって、前記脚は周面の一部が上下方向に開口する管状の脚柱から成り、該脚柱の開口側には上下方向に延びる該開口に連通する配線収納溝が、該開口の反対側には上下方向に延びる挿通孔が形成され、この挿通孔下部にはアジャスター取付用の雌ねじが螺設され、前記脚柱の断面形状は、前記アジャスターの操作ヘッド部の一部が該脚柱より露出するように形設されていることを特徴とするテーブル等の脚構造。
【請求項２】
前記脚柱の断面形状は、開口側から挿通孔側に向けて細くなっている請求項１に記載のテーブル等の脚構造。
【請求項３】
前記開口と挿通孔との略中間部には天板あるいは天板受座を固定するためのロングボルト用の第２の挿通孔が形設され、脚柱下端にはロングボルトのボルト頭部が挿入可能な収納孔が形成されている取付板が設けられている請求項１または２に記載のテーブル等の脚構造。
【請求項４】
前記挿通孔と第２の挿通孔とはそれぞれ脚柱の両側壁に連接した連結片に形成され、該各連結片は互いに分離している請求項３に記載のテーブル等の脚構造。
【請求項５】
前記開口をテーブルに対して外方に向け、かつ着脱自在のカバー体により閉塞される請求項１ないし４の何れかに記載のテーブル等の脚構造。
【発明の詳細な説明】
【０００１】
【発明の属する技術分野】
本発明は、天板を支持する支持脚内部に配線収納空間を形成したテーブルや机等の脚構造に関する。
【０００２】
【従来の技術】
テーブル等の天板支持脚に配線収納空間を形成し、配線ケーブル等をこの支持脚内の配線空間を介して電気接続を図るようにしたものは既に公知である（特許文献１，２参照）。
【０００３】
【特許文献１】
特開２００１−１２８７４７号公報（第３，４頁、図５）
【特許文献２】
特開２００１−１２８７５１号公報（第３，４頁、図５）
【０００４】
上記特許文献に記載の天板支持脚は、周面の一部が上下方向に開口する管状の脚柱で構成され、この開口は着脱自在のカバー体により閉塞され、開口の内方にはこの開口に連通する上下方向に延びる配線収納溝が形成されている。そして脚柱の上部端には天板受座が、下端部にはテーブルの支持と高さ調整を兼ねるアジャスターが取り付けられている。
【０００５】
【発明が解決しようとする課題】
しかしながら、上記特許文献１，２に記載の脚柱はその内部に配線収納空間が形成されているために、アジャスターは脚柱に直接取り付けるのではなく、脚柱下端に設けた取付板の雌ねじ部に螺合しており、また、アジャスター操作ヘッド部は脚柱の上下方向における投影面積内にほぼ収まるものであった。
【０００６】
このため、アジャスターは取付板の雌ねじ部が螺設されている長さ分だけしか螺合できず、アジャスターの取付長さを十分に確保するためには、厚みのある取付板を使用して所要の螺合長さを有する雌ねじ部を螺設する必要があった。また、アジャスターを操作する場合に、アジャスターが脚柱の投影面積内にあるために、アジャスターの調整がしづらかった。
【０００７】
本発明は、このような状況に鑑みてなされたもので、一部を配線空間部として形成した脚柱においても、アジャスターの取付長さを脚柱に確保するとともに、アジャスターの調整操作を容易に行えるようにしたテーブル等の脚構造を提供することを目的とするものである。
【０００８】
【課題を解決するための手段】
上記課題を解決するために、本発明のテーブル等の脚構造は、天板を支持する支持脚内部に配線収納空間を形成したテーブル等の脚構造であって、前記脚は周面の一部が上下方向に開口する管状の脚柱から成り、該脚柱の開口側には上下方向に延びる該開口に連通する配線収納溝が、該開口の反対側には上下方向に延びる挿通孔が形成され、この挿通孔下部にはアジャスター取付用の雌ねじが螺設され、前記脚柱の断面形状は、前記アジャスターの操作ヘッド部の一部が該脚柱より外側に露出するように形設されていることを特徴としている。
この特徴によれば、脚柱の挿通孔にアジャスター取付用の雌ねじを螺設したので、アジャスターの螺合長さを十分確保できるとともに、アジャスターが脚柱から一部外方に露出しているので、操作性がよい。
【０００９】
本発明のテーブル等の脚構造において、前記脚柱の断面形状は、開口側から挿通孔側に向けて細くなっていることが好ましい。
このようにすれば、開口側に設けた配線収納溝を大きく形成でき、かつアジャスター側において、アジャスターの操作ヘッド部の外方への露出量を確保できる。
【００１０】
本発明のテーブル等の脚構造において、前記開口と挿通孔との略中間部には天板あるいは天板受座を固定するためのロングボルト用の第２の挿通孔が形設され、脚柱下端にはロングボルトのボルト頭部が挿入可能な収納孔が形成されている取付板が設けられていることが好ましい。
このようにすれば、脚柱下端部にアジャスターとロングボルトとを併設しても、ロングボルトのボルト頭部が取付板内に挿入されるので、両者の干渉が避けられる。
【００１１】
本発明のテーブル等の脚構造において、前記挿通孔と第２の挿通孔とはそれぞれ脚柱の両側壁に連接した連結片に形成され、該各連結片は互いに分離していることが好ましい。
このようにすれば、２つの連結片が設けられているので、脚柱の強度は十分に確保でき、しかも各連結片は互いに分離しているので、中心部に成形肉がよって肉厚の均一性が崩れることが防げる。
【００１２】
本発明のテーブル等の脚構造において、前記開口をテーブルに対して外方に向け、かつ着脱自在のカバー体により閉塞されることが好ましい。
このようにすれば、開口がテーブルに対して外方に向いているので、カバー体を取り外すだけで配線作業が容易に行える。
【００１３】
【発明の実施の形態】
本発明の実施形態について図面を参照して説明する。
【００１４】
図１は本発明の一実施形態に係る天板を支持する脚柱の一部断面を示す側面図、図２の（ａ）は脚柱単体を下端部から視た斜視図、（ｂ）は図１のＡ―Ａ断面図、図３は脚柱の頂部に取付けられた天板取付け片の断面図であり、図４は図３のＢ−Ｂ断面図である。
【００１５】
図１、図２に示す符号１は、例えば矩形状の天板２の四隅が脚柱４で支持されたテーブルであって、以下脚柱４の構造に付き説明する。
【００１６】
この脚柱４は、図２（ａ）に示すように、砲弾形状の断面をなし、周面の一部（幅広側端部）が上下方向に開口８する管状体で構成され、この脚柱４には開口８の左右両端縁８ａ,８ｂから内方に向けて延設する取付片４ａが一体成形されており、例えばアルミの押出し成形により製作されている。
【００１７】
脚柱４の断面において、その中央部には第２ボス１０が内壁に全長に亘って連結した左右のリブＲ１，Ｒ２として構成されている連結片に支持されており、この第２ボス１０には、開口８側と反対側に切欠き１０ａが形成されている第２挿通孔１０ｂが全長に亘って形成され、この挿通孔１０ｂの下端にはロングボルトＬＢの軸部が挿通可能に形成されている。
【００１８】
また、脚柱４の断面における尖端側には、第１ボス１１が内壁に全長に亘って連結した左右のリブＲ’１，Ｒ’２として構成されている連結片に支持されており、この第１ボス１１には、第２ボス１０に向けて切欠き１１ａが形成されている挿通孔１１ｂが全長に亘って形成され、この挿通孔１１ｂには後述するアジャスターＪ取付用の雌ねじＴ１が螺設されている。
【００１９】
ここで、アジャスターＪは、図１に示すように、第１ボス１１下端に螺設される雌ねじ１１ｃに螺合可能な所定長さのねじ軸ＪＴと、このねじ軸ＪＴの下端に設けられたアジャスターＪの操作ヘッド部となる円板状のベースＪＢとから構成されている。このベースＪＢは脚柱４から一部外方に露出している。
【００２０】
一方図２の（ａ）に示すように、脚柱４の開口８を形成する両取付片４ａの内部には、開口に連通する上下に延びる配線収納溝Ｘが形成され、取付片４ａに取外し自在に取付けられているカバー受け１５に着脱自在に取付けたカバー体１６と配線収納溝Ｘにより配線空間が形成されている。
【００２１】
更に、図２の（ｂ）に示すように左右の取付片４ａには、上下方向を向く縦溝１７が形成され、この縦溝１７には、所定間隔で複数のカバー受け１５を取付るための嵌合孔１９が形成されている。
【００２２】
カバー体１６は、脚柱４の開口８を全長に亘って覆うように断面円弧形に形成されており、その両側には一対の係止片１６ａが内方に向けて並設され、それら係止片１６ａの先端にはカバー受け１５の溝部１５ｃに弾力的に係止される係止突部１６ｂが形成されている。
【００２３】
図２の（ａ），（ｂ）に示す脚柱４の下端には、尖端部とリブＲ１，Ｒ２の３箇所に形成された挿通孔３２内に雌ネジ１８が形成され、これら雌ネジにボルトを介して取付板３０が取付けられる（図１参照）。
【００２４】
取付板３０は、外周形状が脚柱４と同一形状をなし、第２ボス１０と第１ボス１１が対応する部位には、脚柱４の高さを調整するためのアジャスターＪのねじ軸ＪＴが挿通可能な開口と、ロングボルトＬＢのボルト頭部の外周が挿通可能な開口とが相互に連通する切欠き孔３０ａが形成されている。
【００２５】
一方、脚柱４の頂部には、図１，図３及び図４に示されるように、ブラケットＢを介して天板２が取付けられるようになっており、このブラケットＢは支柱取付け部２１ａと天板取付け部２１ｂから成り、支柱取付け部２１ａに形成した雌ねじ９にロングボルトＬＢが螺着することにより脚柱４と連結される。この支柱取付け部２１ａから離間配置されて面一の高さで形成される天板取付け部２１ｂはボルト（図示せず）により天板２を固定支持する。
【００２６】
また、図４に示すようにブラケットＢは天板取付け部２１ｂの両側に張り出して形成される一段低い段付き面２１ｃ上に一対の位置決めピンＰ１，Ｐ２（図中黒丸で示される）が突設しており、これらの位置決めピンＰ１，Ｐ２には、互いに交叉する一対の連結フレームＦ１、Ｆ２に円弧状に形成した複数の位置決め孔が選択的に嵌合されるようになっている。
【００２７】
そして、ブラケットＢの支持面７上面には、これら支持面７上面から突設した一対の嵌合ボス１２ａ、１２ｂに一端が挿嵌した断面角型筒状の連結フレームＦ１，Ｆ２が互いに交叉配置されており、これら連結フレームＦ１，Ｆ２の他端側に形成される断面角形筒状の各端面には、それぞれ中間ビーム５，６がボルトＢＴを介して連結されている。
【００２８】
詳しくは、連結フレームＦ１，Ｆ２は、その他端側に形成される断面角型筒状の端面に中間ビーム５，６端部の内周壁５ａ，６ａに嵌合可能な段付き状の嵌合突部１４が形成され、その中央上面には天板２と螺着するためのボルト挿通孔２４が形成されている。
【００２９】
従って、上記のように構成されたテーブル等の脚構造によれば、脚柱４内の第１ボス１１内に形成される挿通孔１１ｂに、アジャスターＪ取付用の雌ねじ１１ｃが螺設されているので、アジャスターＪの螺合長さを十分に確保できるとともに、アジャスターＪのベースＪＢが脚柱４から一部外方に露出しているので、脚柱４の側方から高さ調整のための操作ができる。
【００３０】
また、脚柱４の断面形状は、開口８側から挿通孔１１ｂに向けて細く形成されているので、開口８側に設けた配線収納溝Ｘを大きく形成でき、かつアジャスターＪ側において、アジャスターＪの操作ヘッド部となる円板状のベースＪＢの外方への露出量を確保できる。
【００３１】
更に、開口８と挿通孔１１ｂとの略中間部には、天板２あるいは天板２用のブラケットＢを固定するロングボルトＬＢの第２挿通孔１０ｂが形設され、脚柱４の下端には、ロングボルトＬＢのボルト頭部３１が挿入可能な収納孔としての切欠き孔３０ａが形成された取付板６が設けられているので、脚柱４下端部にアジャスターＪとロングボルトＬＢとを併設しても、ロングボルトＬＢのボルト頭部３１が取付板６内に挿入されるので、両者の干渉が避けられる。
【００３２】
そして、挿通孔１１ｂと第２の挿通孔１０ｂとは、それぞれ脚柱４の両側壁に連接した連結片としてのリブＲ’１，Ｒ’２及びＲ１，Ｒ２に形成され、これら各リブＲ’１，Ｒ’２及びＲ１，Ｒ２は互いに分離しているので、脚柱４の強度は十分に確保でき、中心部に成形肉がよって肉厚の均一性が崩れることが防げる。
【００３３】
そしてまた、開口８を天板２に対して外方に向け、かつ着脱自在のカバー体１６により閉塞されるよう構成されるので、カバー体１６を取り外すだけで配線作業を容易に行うことができる。
【００３４】
【発明の効果】
本発明は以下の効果を奏する。
【００３５】
（ａ）請求項１項の発明によれば、脚柱の挿通孔にアジャスター取付用の雌ねじを螺設したので、アジャスターの螺合長さを十分確保できるとともに、アジャスターが脚柱から一部外方に露出しているので、操作性がよい。
【００３６】
（ｂ）請求項２項の発明によれば、開口側に設けた配線収納溝を大きく形成でき、かつアジャスター側において、アジャスターの操作ヘッド部の外方への露出量を確保できる。
【００３７】
（ｃ）請求項３項の発明によれば、脚柱下端部にアジャスターとロングボルトとを併設しても、ロングボルトのボルト頭部が取付板内に挿入されるので、両者の干渉が避けられる。
【００３８】
（ｄ）請求項４項の発明によれば、２つの連結片が設けられているので、脚柱の強度は十分に確保でき、しかも各連結片は互いに分離しているので、中心部に成形肉がよって肉厚の均一性が崩れることが防げる。
【００３９】
（ｅ）請求項５の発明によれば、開口がテーブルに対して外方に向いているので、カバー体を取り外すだけで配線作業が容易に行える。
【図面の簡単な説明】
【図１】本発明の一実施形態に係る天板を支持する脚柱の一部断面を示す側面図である。
【図２】（ａ）は脚柱単体を下端部から視た斜視図、（ｂ）は図１のＡ―Ａ断面図である。
【図３】脚柱の頂部に取付けられた天板取付け片の断面図である。
【図４】Ｂ−Ｂ断面図である。
【符号の説明】
１                    テーブル
２                    天板
４                    脚柱
４ａ                  取付片
５，６                中間ビーム
５ａ，６ａ            内周壁
７                    支持面
８                    開口
８ａ，８ｂ            左右両端縁
１０                  第２ボス
１０ｂ                第２挿通孔
１１                  第１ボス
１１ｂ                挿通孔
１１ｃ                雌ねじ
１２ａ，１２ｂ        嵌合ボス
１４                  嵌合突部
１５                  カバー受け
１５ｃ                溝部
１６                  カバー体
１６ａ                係止片
１６ｂ                係止突部
１７                  縦溝
１８                  雌ネジ
１９                  嵌合孔
２１ａ                支柱取付け部
２１ｂ                天板取付け部
２１ｃ                段付き面
２４                  ボルト挿通孔
３０                  取付板
３０ａ                切欠き孔
３１                  ロングボルトのボルト頭部
３２                  挿通孔
Ｂ                    ブラケット
ＢＴ                  ボルト
Ｆ１，Ｆ２            連結フレーム
Ｊ                    アジャスター
ＪＢ                  ベース（アジャスターの操作ヘッド部）
ＪＴ                  ねじ軸
ＬＢ                  ロングボルト
Ｐ１，Ｐ２            位置決めピン
Ｒ１，Ｒ２            リブ
Ｒ’１，Ｒ’２        リブ
Ｘ                    配線収納溝
【図１】
2004202029.tif 000003
【図２】
2004202029.tif 000004
【図３】
2004202029.tif 000005
【図４】
2004202029.tif 000006